(57)【要約】【課題】少ない光源で必要な明るさを得て視認性および立体感を与えることを可能として、コストダウンを図ることができ、しかも、新規な視認性および装飾性を与えて、商品性を高めることのできるメータ装置を提供すること。【解決手段】文字板１０の表示部１１の内径方向位置に設けられ、背面方向に凹状に形成されているとともに、外周部に正面方向を向いた反射面１２ａを備えた凹部１２と、凹部１２内に配置され、文字板１０のメータ背面側に設けられた指針照明用光源４２の光を、反射面１２ａに向けて照射可能に形成された導光部材５０と、導光部材５０の正面側に設けられ、文字板正面方向への導光部材５０からの漏光を防止するための遮光フィニッシャ５２と、を備えていることを特徴とするメータ装置とした。【選択図】図１
2009229372.tif 000002
【特許請求の範囲】
【請求項１】
指針の指標となる表示部が周状に設けられ、かつ、少なくとも前記表示部を除く部分に遮光層が設けられた文字板と、
この文字板の前記表示部の内径方向位置に設けられ、前記表示部の背面方向に凹状に形成されているとともに、外周部に正面方向を向いた反射面を備えた凹部と、
この凹部内に配置され、前記文字板の背面側に設けられた光源の光を、前記反射面に向けて照射可能に形成された導光部材と、
この導光部材の正面側に設けられ、前記文字板正面方向への前記導光部材からの漏光を防止するための遮光フィニッシャと、
を備えていることを特徴とするメータ装置。
【請求項２】
前記指針を照明する指針照明用光源が、前記指針の回動軸の近傍に設けられ、
前記導光部材が、前記指針照明用光源からの光を導いて、前記反射面を照射するよう形成されていることを特徴とする請求項１に記載のメータ装置。
【請求項３】
前記文字板の背面側には、前記表示部を照明用の表示部照明用光源が設けられ、
前記文字板の前記凹部における、前記反射面の内径方向位置に、前記表示部照明用光源の光を前記導光部材に入射させるための透光部が設けられていることを特徴とする請求項１または請求項２に記載のメータ装置。
【請求項４】
前記導光部材の背面側に、前記凹部内に前記導光部材を支持する支持用凸部が設けられていることを特徴とする請求項１〜請求項３のいずれか１項に記載のメータ装置。
【発明の詳細な説明】
【技術分野】
【０００１】
本発明は、自動車などに用いられるメータ装置に関し、特に、立体感を有した表示を行う技術に関する。
【背景技術】
【０００２】
従来、車両用などのメータ装置において、指針に対応した表示部を備えた文字板の外周部に、リング状で傾斜した板面部を設け、この板面部に光を放射する照射部を対向させ、照射部を発光させた際に、板面部が浮き上がるように、立体感および浮遊感を有して視認されるようにしたメータ装置が、例えば、特許文献１などにより知られている。
【特許文献１】特開２００２−２５７６０１号公報
【発明の開示】
【発明が解決しようとする課題】
【０００３】
しかしながら、上述の従来技術では、文字板の外周部の傾斜した板面部に照明光を照射するため、照射面積が文字板の外周全体となり、照射面積が広く、必要な光源の数や導光部材の大きさが大きくなり、コストアップを招くという問題があった。
また、この従来技術では、文字板の外周部の照明に奥行きを持たせるものが一般的であり、新規な視認性および装飾性を持たせて、商品性を高めることが望まれていた。
【０００４】
本発明は、上述のような従来の問題に着目して成されたもので、少ない光源で必要な明るさを得て視認性および立体感を与えることを可能として、コストダウンを図ることができ、しかも、新規な視認性および装飾性を与えて、商品性を高めることのできるメータ装置を提供することを目的とする。
【課題を解決するための手段】
【０００５】
上述の目的達成のために本発明は、指針の指標となる表示部が周状に設けられ、かつ、少なくとも前記表示部を除く部分に遮光層が設けられた文字板と、この文字板の前記表示部の内径方向位置に設けられ、前記表示部の背面方向に凹状に形成されているとともに、外周部に正面方向を向いた反射面を備えた凹部と、この凹部内に配置され、前記文字板の背面側に設けられた光源の光を、前記反射面に向けて照射可能に形成された導光部材と、この導光部材の正面側に設けられ、前記文字板正面方向への前記導光部材からの漏光を防止するための遮光フィニッシャと、を備えていることを特徴とするメータ装置とした。
【０００６】
請求項２に記載の発明は、請求項１に記載のメータ装置において、前記指針を照明する指針照明用光源が、前記指針の回動軸の近傍に設けられ、前記導光部材が、前記指針照明用光源からの光を導いて、前記反射面を照射するよう形成されていることを特徴とするメータ装置とした。
【０００７】
請求項３に記載の発明は、請求項１または請求項２に記載のメータ装置において、前記文字板の背面側には、前記表示部を照明用の表示部照明用光源が設けられ、前記文字板の前記凹部における、前記反射面の内径方向位置に、前記表示部照明用光源の光を前記導光部材に入射させるための透光部が設けられていることを特徴とするメータ装置とした。
【０００８】
請求項４に記載の発明では、請求項１〜請求項３のいずれか１項に記載のメータ装置において、前記導光部材の背面側に、前記凹部内に前記導光部材を支持する支持用凸部が設けられていることを特徴とするメータ装置とした。
【発明の効果】
【０００９】
本発明のメータ装置では、光源を発光させたときには、その光が導光部材を介して、文字板の表示部の内側に配置された凹部の反射面を照明する。
したがって、文字板では、表示部の内側部分が、周状に奥行きを有して発光し、この部分が、立体感を有するとともに、浮遊感を有して照明される。
このように、文字板の表示部の内側の遮光フィニッシャが、立体的で浮遊感を有して表示され、従来存在しなかった、新規な立体表示が行われ、商品性を向上できる。
【００１０】
また、光源は、文字板の表示部の内側の凹部内を照らすため、従来のように、文字板の表示部の外周を照明するものと比較して、照明面積が小さくて済むことから、必要な光源の数や、導光部材の大きさを小さくすることができる。
したがって、必要な照明の明るさを得ることを、低コストで達成できる。
【００１１】
請求項２に記載の発明では、指針照明用光源の光が、導光部材に導かれて、凹部の反射面を照明する。
したがって、指針照明用光源の光を、凹部の反射面を照らす立体照明用の光源と兼用可能であり、必要な照明の明るさを得ることを、低コストで達成することができる。
【００１２】
請求項３に記載の発明では、文字板の表示照明用光源を点灯させた際に、その光が、文字板の凹部に設けた透光部を通過し、導光部材に入射される。
したがって、導光部材から反射部に照射される光量を、より確保可能となり、効率的な照明を可能として、必要な照明の明るさを得ることを、より低コストで達成可能となる。
【００１３】
請求項４に記載の発明では、導光部材に設けられた支持用凸部が、文字板に当接されており、導光部材の外周部のメータ背面方向への移動が、文字板に規制され、導光部材と文字板とがハウジングに一体的に固定される。
したがって、導光部材を、安価に安定させて支持することができる。
【発明を実施するための最良の形態】
【００１４】
以下、本発明の実施の形態を図面に基づいて説明する。
本実施の形態のメータ装置は、指針（６０）の指標となる表示部（１１）が周状に設けられ、かつ、少なくとも前記表示部（１１）を除く部分に遮光層が設けられた文字板（１０）と、この文字板（１０）の前記表示部（１１）の内径方向位置に設けられ、前記表示部（１１）の背面方向に凹状に形成されているとともに、外周部に正面方向を向いた反射面（１２ａ）を備えた凹部（１２）と、この凹部（１２）内に配置され、前記文字板（１０）の背面側に設けられた光源（４２）の光を、前記反射面（１２ａ）に向けて照射可能に形成された導光部材（５０）と、この導光部材（５０）の正面側に設けられ、前記文字板正面方向への前記導光部材（５０）からの漏光を防止するための遮光フィニッシャ（５２）と、を備えていることを特徴とするメータ装置である。
【実施例１】
【００１５】
以下に、図１〜図２に基づいて、この発明の最良の実施の形態の実施例１のメータ装置Ａについて説明する。
【００１６】
この実施例１のメータ装置Ａは、図外の自動車のインストルメントパネルに設けられたメータクラスタ内に取り付けられており、図２に示すように、スピードメータ１、エンジン回転数メータ２を備えている。
【００１７】
図２のＳ１−Ｓ１線の位置で切断した断面図である図１に示すように、このメータ装置Ａは、文字板１０、ハウジングアッパ２０、ハウジングロア３０、基板４０、導光部材５０を備えている。なお、図１はエンジン回転数メータ２の部分の断面を示しており、以下に、このエンジン回転数メータ２の部分について説明するが、スピードメータ１についても同様の構成であり、同じ構成には、同じ符号を付けて説明を省略する。
【００１８】
文字板１０は、ポリカーボネート樹脂などの透明樹脂により板状に形成されており、図２に示すように、指針６０の指標となる目盛１１ａと文字１１ｂとを備えた表示部１１が、指針６０の先端の回動軌跡に沿って、円弧状に配置されている。そして、この表示部１１は、透光性を有した塗料（例えば、白や赤やオレンジなど）で目盛１１ａや文字１１ｂの表示がなされ、一方、それ以外の部分は、遮光性を有した塗料（例えば、黒や灰色など）による印刷や、遮光性を有した素材で形成された遮光層（図示省略）で覆うことにより、遮光性が与えられている。
なお、本実施例１では、文字板１０は、スピードメータ１に配置されている部分と、エンジン回転数メータ２に配置されている部分とは、一体に形成されている。また、表示部１１は、立体的に形成して、視認性を高めることもできる。
【００１９】
また、文字板１０は、図１に示すように、ハウジングロア３０により、メータ背面方向（図において矢印ＢＫの方向であって、メータ装置Ａによる表示方向である矢印Ｆで示すメータ正面方向とは反対方向）側の面を支持されており、かつ、この文字板１０のメータ正面方向の外周部がハウジングアッパ２０で覆われている。なお、ハウジングアッパ２０とハウジングロア３０とで、メータ装置Ａのハウジングを構成している。
【００２０】
ハウジングアッパ２０は、硬質で光の反射を抑えることのできる例えば黒色の樹脂で形成されており、ハウジングロア３０との間に文字板１０を挟んだ状態で、ハウジングロア３０に複数の図示を省略した係合爪を係合させて取り付けられている。
また、ハウジングアッパ２０のメータ正面方向側は、透明なフェイシャ８０が取り付けられている。
【００２１】
ハウジングロア３０は、硬質で、光の反射性に優れた例えば白色の樹脂で形成されており、詳細な図示は省略するが、メータ背面方向側が開口された箱状に形成され、かつ、文字板１０の表示部１１の背面位置には、後述する表示部照明用光源４３の照明光Ｌ１をメータ正面方向に反射させる曲面状の反射部３２が形成されている。
【００２２】
基板４０は、エポキシ樹脂などの硬質樹脂により板状に形成されたもので、ハウジングロア３０に一体に形成された複数の係合爪３３を係合させてハウジングロア３０に固定されているもので、ムーブメント４１、指針照明用光源４２、表示部照明用光源４３を備えている。
なお、ムーブメント４１は、指針６０を回動させるもので、ムーブメント４１により回動される回転軸４１ａの先端部に、指針６０の本体６１からメータ背面方向に延びる筒状の装着用筒状部６２が装着されている。
【００２３】
両光源４２，４３は、例えば、発光ダイオードが用いられている。
指針照明用光源４２は、回転軸４１ａの近傍に１個（図２参照）設置されている。この指針照明用光源４２の点灯時には、その照明光Ｌ２が、指針６０の装着用筒状部６２の先端面６２ａから指針６０の内部に導入され、内部で拡散されながら、メータ正面方向に反射することで、指針６０が照明される。なお、指針照明用光源４２は、本実施例１では、オレンジなどに着色されており、指針６０を着色照明する。
【００２４】
表示部照明用光源４３は、点灯時に、文字板１０の表示部１１を照明させるものであり、表示部１１のメータ背面方向位置であって、表示部１１よりも僅かに内径方向位置に配置されており、図２に示すように、表示部に沿って周方向に略等角度間隔で４個設けられている。
【００２５】
文字板１０において、表示部１１の内径方向には、図１に示すように、メータ背面方向に凹形状であって、メータ正面方向から視て略円形の凹部１２が形成されている。そして、この凹部１２の外周部には、湾曲面形状を成し、メータ正面方向を向いた反射面１２ａが形成されている。また、凹部１２の略中央には、回転軸４１ａなどを挿通させる中心穴１２ｈが形成されている。
【００２６】
さらに、文字板１０において、反射面１２ａの内周に沿って、透光性を与えられた透光部１２ｂが、メータ正面方向から視て円周状に設けられている。
【００２７】
また、凹部１２には、導光部材５０が設けられている。この導光部材５０は、本体５１と遮光フィニッシャ５２とを備えている。
本体５１は、ポリカーボネート樹脂などの透明樹脂により形成され、略ドーナツ板状の円盤部５１ａと、この円盤部５１ａの内周からメータ背面方向に延びる円筒状の筒部５１ｂと、を備えており、筒部５１ｂが、ハウジングロア３０に立設された支持用筒部３４に支持されている。
この支持用筒部３４は、円筒状を成し、かつ、メータ正面方向の端部に、内径方向に凸状のフランジ３４ｆが形成され、このフランジ３４ｆの内周に、支持用穴３４ａが形成されている。
そこで、導光部材５０は、筒部５１ｂの外周を、支持用穴３４ａの内周に嵌合させて、ハウジングロア３０に固定されている。
【００２８】
なお、筒部５１ｂには、段差部５１ｃが形成されており、筒部５１ｂの支持用穴３４ａへの嵌合状態で、この段差部５１ｃをフランジ３４ｆに突き当てることで、文字板１０の凹部１２の中心穴１２ｈの周縁を、この段差部５１ｃとフランジ３４ｆとの間に挟持し、文字板１０を固定している。
【００２９】
さらに、導光部材５０の本体５１の円盤部５１ａの外周には、メータ背面方向に凸となった支持用凸部５１ｄが全周に一体に形成され、上述のように導光部材５０を支持用筒部３４に固定した状態で、この支持用凸部５１ｄが文字板１０に当接されている。
【００３０】
また、筒部５１ｂは、その先端面５１ｅが、入射口として、指針照明用光源４２に略対向して配置されている。したがって、指針照明用光源４２の光は、筒部５１ｂの先端面５１ｅから導光部材５０の本体５１の内部に導入され、本体５１の円盤部５１ａの外周面５１ｆを照射口として、外径方向に照射される。そこで、このとき、外周面５１ｆから出射される光量が、全周で略均一になるように、筒部５１ｂでは、指針照明用光源４２に近い部分が、光入射量を抑制すべく相対的に薄肉に形成されている一方、指針照明用光源４２から遠い部分が、光入射量を増大すべく相対的に厚肉に形成されている。
【００３１】
遮光フィニッシャ５２は、導光部材５０の本体５１のメータ正面方向側の表面を覆い、本体５１からメータ正面方向への漏光を防止するもので、遮光性を有したＡＢＳなどの樹脂により円盤状に形成されており、遮光フィニッシャ５２の外周と凹部１２の外周との間に、メータ正面方向から視て円形を成す隙間ＳＰを形成している。なお、遮光フィニッシャ５２は、文字板１０の表示部１１が形成された一般部よりも、僅かにメータ正面方向の位置に配置されている。
【００３２】
次に、実施例１の作用について説明する。
各光源４２，４３を点灯させたときには、以下に述べるような照明が成される。
すなわち、表示部照明用光源４３の照明光Ｌ１は、文字板１０の表示部１１に向けて照射され、この表示部１１を透過することで、表示部１１の目盛１１ａや文字１１ｂを発光表示させる。
【００３３】
また、指針照明用光源４２の照明光Ｌ２は、指針６０の装着用筒状部６２の先端面６２ａから、指針６０の内部に導かれ、拡散された後、メータ正面方向に進み、これにより、指針６０が発光表示される。
【００３４】
さらに、指針照明用光源４２の照明光Ｌ２の一部の照明光Ｌ３は、導光部材５０の筒部５１ｂの先端面５１ｅから内部に導かれ、本体５１の外周面５１ｆから外径方向に照射され、さらに、文字板１０の反射面１２ａで、メータ正面方向に反射される。
【００３５】
この反射面１２ａは、文字板１０に凹状に形成した凹部１２の外周に形成されており、遮光フィニッシャ５２の外周端分からメータ背面方向へ奥行きが与えられており、遮光フィニッシャ５２の外周面と凹部１２の外周縁との間で形成された隙間ＳＰから、照明光Ｌ３がメータ正面方向へ進む。
【００３６】
さらに、表示部照明用光源４３の照明光Ｌ１一部も、文字板１０の凹部１２の透光部１２ｂを透過し、さらに、直接あるいは導光部材５０を介して、反射面１２ａに進んで、メータ正面方向へ反射される。
【００３７】
したがって、文字板１０にあっては、表示部１１の内側に配置された導光部材５０のメータ正面方向の面を形成する遮光フィニッシャ５２が、メータ正面方向に浮いたような立体感および浮遊感を持って視認される。
このように、本実施例１では、従来に無かった新規な立体的照明表示が成される。
【００３８】
しかも、この場合、文字板１０の外周部分に沿って設けられた表示部１１よりも内側位置に配置された反射面１２ａで、照明光Ｌ３をメータ正面方向へ反射させるようにしたため、表示部１１よりも外側位置で反射させるものと比較して、指針照明用光源４２の光を、外径方向に導く距離が短くなるため、同じ輝度で反射するので有れば、相対的に少ない光量で済む。このため、立体的な照明に必要な光量を得るのに必要な光源の数や光量を低く抑えることができ、その分、コストダウンを図ることができるとともに、消費エネルギを軽減できる。
【００３９】
加えて、指針照明用光源４２を、立体的照明のために導光部材５０に導く光源として兼用させたため、立体的照明の専用の光源を用いるのと比較して、コストダウンおよび消費エネルギの軽減をいっそう図ることができる。
【００４０】
さらに、本実施例１では、反射面１２ａの内径方向位置に透光部１２ｂを設け、表示部照明用光源４３の照明光Ｌ１を、直接および間接的に反射面１２ａに導くようにした。
このため、より少ない光量で、必要な輝度を確保することができ、コストダウンおよび消費エネルギ軽減をさらに図ることができる。
【００４１】
また、導光部材５０の外周部に支持用凸部５１ｄを設け、この支持用凸部５１ｄを文字板１０の凹部１２に当接させたため、文字板１０と導光部材５０とを一体的に固定させることができ、文字板１０と導光部材５０との振動による異音の発生、経時的な位置のずれなどを抑え、製品品質を向上させることができる。
加えて、照明時に、この支持用凸部５１ｄを含めた範囲で、導光部材５０の本体５１の外周面５１ｆから照明光Ｌ３が照射されるため、支持用凸部５１ｄを設けない場合よりも照射範囲が拡がり、立体感および浮遊感をいっそう向上させることができる。
【００４２】
さらに、導光部材５０の本体５１において、内部に導入した照明光Ｌ３がメータ正面方向へ透過させないようにするために、遮光フィニッシャ５２を設けたため、単に、樹脂製の本体５１に遮光性を有した塗装を行うものと比較して、新規な外観を得ることができ、商品性を向上させることが可能である。
【００４３】
以上説明したように、実施例１のメータ装置では、以下に列挙する効果を得ることができる。
１）文字板１０の表示部１１の内径方向部分の遮光フィニッシャ５２が、メータ正面方向に浮いたような立体感および浮遊感を持って視認される、従来に無かった新規な立体照明表示が成される。
２）文字板１０の外周部分に沿って設けられた表示部１１よりも内径方向位置に配置された反射面１２ａで、照明光Ｌ３をメータ正面方向へ反射させるようにしたため、表示部１１よりも外側位置で反射させるのと比較して、リング状の照明面積が小さくて済み、導光部材５０を小型にすることができるとともに、同じ輝度で反射するので有れば、相対的に少ない光量で済む。このため、導光部材５０の材料費を軽減できるとともに、必要な光源の数や光量を低く抑えることができ、その分、コストダウンを図ることができ、かつ、消費エネルギを軽減できる。
３）指針照明用光源４２を、立体的照明のために導光部材５０に導く光源として兼用させたため、立体的照明の専用の光源を用いるのと比較して、コストダウンおよび消費エネルギの軽減をいっそう図ることができる。
４）反射面１２ａの内径方向位置に透光部１２ｂを設け、表示部照明用光源４３の照明光Ｌ１を、直接および間接的に反射面１２ａに導くようにしたため、より少ない光量で、必要な輝度を確保することができ、コストダウンおよび消費エネルギ軽減をさらに図ることができる。
５）導光部材５０の外周部に支持用凸部５１ｄを設け、この支持用凸部５１ｄを文字板１０の凹部１２に当接させたため、文字板１０と導光部材５０とを一体的に固定させることができ、文字板１０と導光部材５０との振動による異音の発生、経時的な位置のずれなどを抑え、製品品質を向上させることができる。
６）照明時に、この支持用凸部５１ｄを含めた範囲で、導光部材５０の本体５１の外周面５１ｆから照明光Ｌ３が照射されるため、支持用凸部５１ｄを設けない場合よりも照射範囲が拡がり、立体感および浮遊感をいっそう向上させることができる。
７）導光部材５０の本体５１において、内部に導入した照明光Ｌ３がメータ正面方向へ透過させないようにするために、遮光フィニッシャ５２を設けたため、単に、樹脂製の本体５１に遮光性を有した塗装を行うものと比較して、新規な外観を得ることができ、商品性を向上させることが可能である。
【実施例２】
【００４４】
次に、図３に基づいてこの発明の実施の形態の実施例２のメータ装置Ｂについて説明する。なお、この実施例２は、実施例１の変形例であるため、その相違点についてのみ説明し、実施例１と同様の構成には同じ符号を付けることで説明を省略し、また、作用効果についても、実施例１と同じものは説明を省略する。
【００４５】
実施例２は、文字板１０の表示部１１の外周にあっても、リング状の加飾照明を行うようにした例である。
すなわち、文字板１０において、表示部１１のメータ背面方向側に配置されて第２導光部材２００がハウジングロア３０に支持されている。
【００４６】
この第２導光部材２００は、入光部２０１、本体２０２、リング照明部２０３を備えている。
本体２０２は、透光可能な樹脂により略ドーナツ板状に形成され、表示部１１のメータ背面方向側に配置され、内部に導入された光を、表示部１１に向けて反射させる。
【００４７】
入光部２０１は、本体２０２から表示部照明用光源４３に向けて延在され、先端面を表示部照明用光源４３に対向させている。
リング照明部２０３は、本体２０２からメータ正面方向に突出されてリング状に形成され、文字板１０において表示部１１の外周に形成された開口２０４からメータ正面方向に突出されている。
【００４８】
したがって、照明時には、表示部照明用光源４３の照明光Ｌ１が、第２導光部材２００の内部に導かれ、内部で拡散され、その一部は、本体２０２から表示部１１に向けて反射され、表示部１１を照明する。
【００４９】
また、第２導光部材２００の内部に導かれた照明光Ｌ１の一部は、リング照明部２０３からメータ正面方向に照射され、これにより、表示部１１の外周が、リング状に照明される。
【００５０】
したがって、第２実施例では、表示部１１の内側で、奥行きを有し立体感および浮遊感を備えたリング状の照明が成されるのに加えて、表示部１１の外側でも、リング状の加飾照明が成され、製品の質感を向上させることができる。
【００５１】
以上、図面を参照して、本発明の実施の形態および実施例１，２を詳述してきたが、具体的な構成は、この実施の形態および実施例１，２に限らず、本発明の要旨を逸脱しない程度の設計的変更は、本発明に含まれる。
【００５２】
例えば、実施例１，２では、車両用のメータ装置Ａ，Ｂを示したが、車両用に限らず、船舶など車両以外のものにも適用することができる。
さらに、導光部材５０において、本体５１の円盤部５１ａの外周面５１ｆは、遮光フィニッシャ５２よりも反射面１２ａから離した形状とした例を示したが、遮光フィニッシャ５２の外周面まで延ばした形状としてもよい。
【００５３】
また、文字板１０の凹部１２として、湾曲形状の反射面１２ａを備えたものを示したが、この反射面は、メータ正面方向へ光を反射可能であれば、その形状は、実施例で示した湾曲面形状に限定されない。例えば、直線的な斜面形状や、多角面形状などに形成することもできる。
【００５４】
また、実施例１，２では、導光部材５０に導く光源が、指針照明用の光源を兼ねる例を示したが、それぞれ、別個に設けてもよい。この場合でも、表示部１１の外周まで光を導く場合と比較すると、照明面積が小さくて済み、導光部材を小さくできるとともに、光源の数を少なく抑えることができる。
また、実施例１，２では、支持用凸部５１ｄを、導光部材５０の本体５１の外周に設けた例を示したが、この支持用凸部を設ける位置は、導光部材の外周に限定されるものではない。
【図面の簡単な説明】
【００５５】
【図１】本発明の最良の実施の形態の実施例１のメータ装置Ａを示す断面図であって、図２のＳ１−Ｓ１線の位置で切断した状態を示している。
【図２】実施例１のメータ装置Ａの正面図である。
【図３】実施例２のメータ装置Ｂを示す断面図である。
【符号の説明】
【００５６】
１０   文字板
１１   表示部
１２   凹部
１２ａ 反射面
１２ｂ 透光部
２０   ハウジングアッパ
３０   ハウジングロア
４２   指針照明用光源
４３   表示部照明用光源
５０   導光部材
５１   本体
５２   遮光フィニッシャ
６０   指針
Ｌ１   照明光
Ｌ２   照明光
Ｌ３   照明光
【図１】
2009229372.tif 000003
【図２】
2009229372.tif 000004
【図３】
2009229372.tif 000005